(57)【要約】【課題】複数の無線通信モジュール搭載機器間での初期接続認証に必要な所定の情報の入力用のデバイスとしてキーボード等のユーザーインターフェイスを搭載することなく、該初期接続認証を行うことができるような初期接続認証情報コピーシステムを提供する。【解決手段】複数の無線通信モジュール搭載機器１０，１１と、前記複数の無線通信モジュール搭載機器１０，１１が同時に有線接続される有線接続機器１２と、を備えた初期接続認証情報コピーシステムであって、前記複数の無線通信モジュール搭載機器１０，１１間での無線通信における初期接続認証に必要な所定の情報を前記複数の無線通信モジュール搭載機器１０，１１間で有線通信にてコピーするための端子４４を、前記有線接続機器に１２設けた。【選択図】図１
2005094097.tif 000002
【特許請求の範囲】
【請求項１】
複数の無線通信モジュール搭載機器と、
前記複数の無線通信モジュール搭載機器が同時に有線接続される有線接続機器とを備え、
前記複数の無線通信モジュール搭載機器間での無線通信における初期接続認証に必要な所定の情報を前記複数の無線通信モジュール搭載機器間で有線通信にてコピーするための端子を、前記有線接続機器に設けたことを特徴とする初期接続認証情報コピーシステム。
【請求項２】
前記複数の無線通信モジュール搭載機器は、Bluetooth無線通信モジュール搭載機器であることを特徴とする請求項１に記載の初期接続認証情報コピーシステム。
【請求項３】
前記有線接続機器は、前記複数の無線通信モジュール搭載機器に対して電力を供給する充電器であることを特徴とする請求項１または２に記載の初期接続認証情報コピーシステム。
【発明の詳細な説明】
【技術分野】
【０００１】
本発明は、複数の無線通信モジュール搭載機器と、該複数の無線通信モジュール搭載機器が同時に有線接続される有線接続機器とを備えた初期接続認証情報コピーシステムに関する。
【背景技術】
【０００２】
２つのBluetooth無線通信モジュール搭載機器間でデータ通信を行おうとする場合、該２つのBluetooth無線通信モジュール搭載機器間で認証を行って、誤接続を防止しなければならない。
【０００３】
この認証の際、各Bluetooth無線通信モジュール搭載機器毎に得られるＰＩＮ（Personal Identification Number）コードと乱数に基づき初期化キーが作成される。そして、その初期化キー、乱数と各Bluetooth無線通信モジュール搭載機器独自の値であるBluetoothデバイスアドレスを用いて認証データが作成され、初期接続認証に使用されて、その初期接続認証にてリンクキーが生成される。
【０００４】
また、既に通信が行われたことがある２つのBluetooth無線通信モジュール搭載機器間では、無線通信の際に双方のBluetooth無線通信モジュール搭載機器にて既に生成されているリンクキーと、乱数およびBluetoothデバイスアドレスを認証データとして接続が行われる。
【０００５】
なお、特許文献１には、無線アダプタ装置などの機器が他の機器と所定の通信プロトコルに従って無線通信を行う前になされる初期接続認証の方法が開示されている。
【０００６】
【特許文献１】特開２００２−１８５４５０号公報
【発明の開示】
【発明が解決しようとする課題】
【０００７】
ところで、Bluetooth通信において、初期接続認証を行う際、Bluetooth無線通信モジュール搭載機器にＰＩＮコードの入力可能なデバイスを搭載する必要があるが、Bluetooth無線通信モジュール搭載機器は携帯性が高いものが多いため、コンパクトであることが求められることが多く、実際にはＰＩＮコード入力用のデバイスとしてキーボード等のユーザーインターフェイスを搭載するのは困難である。
【０００８】
本発明は、このような実情に鑑みてなされたものであり、複数の無線通信モジュール搭載機器間での初期接続認証に必要な所定の情報の入力用のデバイスとしてキーボード等のユーザーインターフェイスを搭載することなく、該初期接続認証を行うことができるような初期接続認証情報コピーシステムを提供することを目的とする。
【課題を解決するための手段】
【０００９】
請求項１に係る発明の初期接続認証情報コピーシステムは、複数の無線通信モジュール搭載機器と、前記複数の無線通信モジュール搭載機器が同時に有線接続される有線接続機器とを備え、前記複数の無線通信モジュール搭載機器間での無線通信における初期接続認証に必要な所定の情報を前記複数の無線通信モジュール搭載機器間で有線通信にてコピーするための端子を、前記有線接続機器に設けたことを特徴とする。
【００１０】
この構成によれば、初期接続認証に必要な所定の情報を複数の無線通信モジュール搭載機器間で有線通信にてコピーするための端子を、有線接続機器に設けたので、情報入力用のデバイスとしてキーボード等のユーザーインターフェイスを搭載することなく、該初期接続認証を行うことができる。
【００１１】
また、請求項２に係る発明の初期接続認証情報コピーシステムは、請求項１に係る発明の初期接続認証情報コピーシステムにおいて、前記複数の無線通信モジュール搭載機器は、Bluetooth無線通信モジュール搭載機器であることを特徴とする。
【００１２】
この構成によれば、初期接続認証に必要なＰＩＮコードを複数のBluetooth無線通信モジュール搭載機器間で有線通信にてコピーするための端子を、有線接続機器に設けたので、ＰＩＮコード入力用のデバイスとしてキーボード等のユーザーインターフェイスを搭載することなく、該初期接続認証を行うことができる。
【００１３】
また、請求項３に係る発明の初期接続認証情報コピーシステムは、請求項１または２に係る発明の初期接続認証情報コピーシステムにおいて、前記有線接続機器は、前記複数の無線通信モジュール搭載機器に対して電力を供給する充電器であることを特徴とする。
【００１４】
この構成によれば、初期接続認証に必要な所定の情報を複数の無線通信モジュール搭載機器間で有線通信にてコピーするための端子を、充電器に設けたので、情報入力用のデバイスとしてキーボード等のユーザーインターフェイスを搭載することなく、該初期接続認証を行うことができる。
【発明の効果】
【００１５】
本発明の初期接続認証情報コピーシステムによれば、初期接続認証に必要な所定の情報を複数の無線通信モジュール搭載機器間で有線通信にてコピーするための端子を、有線接続機器に設けたので、情報入力用のデバイスとしてキーボード等のユーザーインターフェイスを搭載することなく、該初期接続認証を行うことができる。このため、無線通信モジュール搭載機器のコンパクトさを失わずに済む。
【発明を実施するための最良の形態】
【００１６】
以下、本発明の実施の形態について図面を参照しながら詳細に説明する。
【００１７】
図１は、本発明の実施の形態に係る初期接続認証情報コピーシステムの構成を概略的に示す図である。図１において、本実施の形態に係る初期接続認証情報コピーシステムは、複数の無線通信モジュール搭載機器としてのBluetooth無線通信モジュールを搭載したポータブル・ワイヤレスヘッドホンプレーヤ（例えば、ポータブル・ワイヤレスＭＤプレーヤ）１０および同じくBluetooth無線通信モジュールを搭載した対応するワイヤレスヘッドホン１１と、これらのポータブル・ワイヤレスヘッドホンプレーヤ１０およびワイヤレスヘッドホン１１が同時に有線接続される有線接続機器としての充電器１２と、を備えている。充電器１２は、ポータブル・ワイヤレスヘッドホンプレーヤ１０およびワイヤレスヘッドホン１１に使用される２次電池に対してそれぞれ電力を供給するものである。また、ポータブル・ワイヤレスヘッドホンプレーヤ１０とワイヤレスヘッドホン１１との間での無線通信における初期接続認証に必要なＰＩＮコードをこれらの間で（本実施の形態においては、ポータブル・ワイヤレスヘッドホンプレーヤ１０からワイヤレスヘッドホン１１へ）有線通信にてコピーするための端子（後述するシリアルポートブリッジ端子４４、図４参照）が、充電器１２に設けられている。
【００１８】
ポータブル・ワイヤレスヘッドホンプレーヤ１０は、図２に示すように、Bluetooth無線通信モジュール２０、ＣＰＵ２１、ＲＯＭ２２、ＲＡＭ２３、電源回路２４、充電器間インターフェイス回路２５、ユーザーインターフェイス回路２６、プレーヤ制御回路２７を有している。
【００１９】
Bluetooth無線通信モジュール２０は、ＲＦ部２８とベースバンド部２９とからなっており、Bluetoothによる無線通信を実現する。但し、ＲＦ部２８およびベースバンド部２９は、必ずしもＣＰＵ２１等の構成部品と別個に構成されるわけではなく、互いに機能を包含する構成も考えられる。
【００２０】
ＣＰＵ２１は、ＲＯＭ２２内に格納されているプログラムにより、プレーヤ制御回路２７の処理、ユーザーインターフェイス回路２６の処理、ベースバンド部２９の処理等を行う。ＲＯＭ２２には、プログラム以外にもポータブル・ワイヤレスヘッドホンプレーヤ１０自身のＰＩＮコードや過去に接続済みのワイヤレスヘッドホン１１のBluetoothデバイスアドレスおよび対応するリンクキーが格納されている。ＲＡＭ２３には、プログラムを実行させるために必要なデータが格納される。ユーザーインターフェイス回路２６は、ユーザーが実際にポータブル・ワイヤレスヘッドホンプレーヤ１０を操作する際に使用されるスイッチ類であり、これらのスイッチ類により目的動作が制御される。電源回路２４は、ポータブル・ワイヤレスヘッドホンプレーヤ１０の各部位に電源を供給し、かつ充電器間インターフェイス回路２５とＣＰＵ２１を介して接続される。充電器間インターフェイス回路２５は、充電器１２との間を接続するものであり、充電用電源端子の他に、Bluetooth接続先となるワイヤレスヘッドホン１１との有線通信用（ＰＩＮコードコピー用）シリアルポートを有している。
【００２１】
一方、ワイヤレスヘッドホン１１は、図３に示すように、Bluetooth無線通信モジュール３０、ＣＰＵ３１、ＲＯＭ３２、ＲＡＭ３３、電源回路３４、充電器間インターフェイス回路３５、ユーザーインターフェイス回路３６、ヘッドホン制御回路３７を有している。
【００２２】
Bluetooth無線通信モジュール３０は、ＲＦ部３８とベースバンド部３９とからなっており、Bluetoothによる無線通信を実現する。但し、ＲＦ部３８およびベースバンド部３９は、必ずしもＣＰＵ３１等の構成部品と別個に構成されるわけではなく、互いに機能を包含する構成も考えられる。
【００２３】
ＣＰＵ３１は、ＲＯＭ３２内に格納されているプログラムにより、ヘッドホン制御回路３７の処理、ユーザーインターフェイス回路３６の処理、ベースバンド部３９の処理等を行う。ＲＯＭ３２には、プログラム以外にもワイヤレスヘッドホン１１自身のBluetoothデバイスアドレスが格納されている。ＲＡＭ３３には、プログラムを実行させるために必要なデータが格納される。ユーザーインターフェイス回路３６は、ユーザーが実際にワイヤレスヘッドホン１１を操作する際に使用されるスイッチ類であり、これらのスイッチ類により目的動作が制御される。電源回路３４は、ワイヤレスヘッドホン１１の各部位に電源を供給し、かつ充電器間インターフェイス回路３５とＣＰＵ３１を介して接続される。充電器間インターフェイス回路３５は、充電器１２との間を接続するものであり、充電用電源端子の他に、Bluetooth接続先となるポータブル・ワイヤレスヘッドホンプレーヤ１０との有線通信用（ＰＩＮコードコピー用）シリアルポートを有している。
【００２４】
更に、充電器１２は、図４に示すように、コネクタ４０および４１、ＤＣ電源出力回路４２および４３、シリアルポートブリッジ端子４４、ＡＣ／ＤＣ変換回路４５、ＡＣプラグ４６を有している。
【００２５】
コネクタ４０は、ポータブル・ワイヤレスヘッドホンプレーヤ１０との間を接続するものであり、コネクタ４１は、ワイヤレスヘッドホン１１との間を接続するものである。ＤＣ電源出力回路４２は、ポータブル・ワイヤレスヘッドホンプレーヤ１０に対してコネクタ４０を介して電力を供給するものであり、ＤＣ電源出力回路４３は、ワイヤレスヘッドホン１１に対してコネクタ４１を介して電力を供給するものである。シリアルポートブリッジ端子４４は、初期接続認証に必要なＰＩＮコードをポータブル・ワイヤレスヘッドホンプレーヤ１０からワイヤレスヘッドホン１１へ有線通信にてコピーするためのものである。ＡＣ／ＤＣ変換回路４５は、ＡＣプラグ４６から供給される交流電圧を直流電圧に変換してＤＣ電源出力回路４２および４３にそれぞれ供給するものである。
【００２６】
過去に接続したことの無いポータブル・ワイヤレスヘッドホンプレーヤ１０とワイヤレスヘッドホン１１とを接続して使用する場合、図５に示すようなBluetooth規格による接続シーケンスによって接続認証が行われ、この際、初期接続認証が必要になる。なお、前述したように、本実施の形態においては、ポータブル・ワイヤレスヘッドホンプレーヤ１０自身のＰＩＮコードは、該ポータブル・ワイヤレスヘッドホンプレーヤ１０のＲＯＭ２２に格納されている。
【００２７】
初期接続認証の際には、ポータブル・ワイヤレスヘッドホンプレーヤ１０もワイヤレスヘッドホン１１も同一のＰＩＮコードを保持している必要があるが、ワイヤレスヘッドホン１１の交換や新規購入などの場合、ワイヤレスヘッドホン１１側にはＰＩＮコードが保持されていない。従って、ポータブル・ワイヤレスヘッドホンプレーヤ１０のＰＩＮコードを対応するワイヤレスヘッドホン１１へコピーすることで、両者が同一のＰＩＮコードを保持することになり、初期接続認証を行うことができ、以降の接続のためのリンクキーを生成することができる。更に、両者が同一のＰＩＮコードを保持できるため、初期接続認証をポータブル・ワイヤレスヘッドホンプレーヤ１０からでもワイヤレスヘッドホン１１からでも開始することが可能であり、ユーザーの取扱いに誤解をなくすことが可能となる。
【００２８】
このＰＩＮコードのコピーを充電器１２を介して有線通信により行い、接続されたポータブル・ワイヤレスヘッドホンプレーヤ１０とワイヤレスヘッドホン１１の内部状態により、２種類の動作シーケンスが考えられ、それらの動作シーケンスにより、ＰＩＮコードのコピーと保守を行う。
【００２９】
動作の前提として、ポータブル・ワイヤレスヘッドホンプレーヤ１０には機器独自のＰＩＮコードが保持されているものとし、一方の動作シーケンスとして、ポータブル・ワイヤレスヘッドホンプレーヤ１０とワイヤレスヘッドホン１１とが初期接続認証を実行しておらず、リンクキーが存在していない場合を図６に示し、他方の動作シーケンスとして、既に初期接続認証を実行済みで、それぞれリンクキーが存在している場合を図７に示す。
【００３０】
まず、一方の動作シーケンス（図６参照）は、ポータブル・ワイヤレスヘッドホンプレーヤ１０からワイヤレスヘッドホン１１へのデータ内にBluetoothデバイスアドレスを含めた「接続可能問い合わせ要求」に対し、「接続可能問い合わせ応答：接続不能」を返す場合である。このことから、ワイヤレスヘッドホン１１がポータブル・ワイヤレスヘッドホンプレーヤ１０のBluetoothデバイスアドレスに対応するＰＩＮコードやリンクキーを持たず、初期接続認証を行っていないことが分かる。
【００３１】
その場合、続いてポータブル・ワイヤレスヘッドホンプレーヤ１０から、データ内に該ポータブル・ワイヤレスヘッドホンプレーヤ１０のBluetoothデバイスアドレスに対応するＰＩＮコードを含めた「接続情報設定要求」を送出し、ワイヤレスヘッドホン１１に対しBluetoothデバイスアドレスとＰＩＮコードの登録を要求し、ワイヤレスヘッドホン１１はポータブル・ワイヤレスヘッドホンプレーヤ１０のBluetoothデバイスアドレスと対応するＰＩＮコードを内部のＲＯＭ３２（ＦＬＡＳＨ  ＲＯＭ）にコピーして「接続情報設定応答：成功」をポータブル・ワイヤレスヘッドホンプレーヤ１０に対して送出する。
【００３２】
最後に、ポータブル・ワイヤレスヘッドホンプレーヤ１０からワイヤレスヘッドホン１１に対し、データ内にポータブル・ワイヤレスヘッドホンプレーヤ１０のBluetoothデバイスアドレスに対応するＰＩＮコードを含めた「ＰＩＮコードベリファイ要求」を送出し、ワイヤレスヘッドホン１１は内部のBluetoothデバイスアドレスと対応するＰＩＮコードデータとのベリファイ後に、「ＰＩＮコードベリファイ応答：成功」をポータブル・ワイヤレスヘッドホンプレーヤ１０に対して送出する。
【００３３】
そして、ポータブル・ワイヤレスヘッドホンプレーヤ１０およびワイヤレスヘッドホン１１は、Bluetooth通信を行う相手（接続先）を相互に設定する。このような動作により、ワイヤレスヘッドホン１１にポータブル・ワイヤレスヘッドホンプレーヤ１０のBluetoothデバイスアドレスとそれに対応するＰＩＮコードが保存されるため、次回の接続時に初期接続認証が実行され、更に接続先が設定されるため、通常動作が実行できるようになる。
【００３４】
次に、他方の動作シーケンス（図７参照）は、ポータブル・ワイヤレスヘッドホンプレーヤ１０からワイヤレスヘッドホン１１へのデータ内にBluetoothデバイスアドレスを含めた「接続可能問い合わせ要求」に対し、「接続可能問い合わせ応答：接続可能」を返す場合である。このことから、ワイヤレスヘッドホン１１がポータブル・ワイヤレスヘッドホンプレーヤ１０のBluetoothデバイスアドレスに対応するＰＩＮコードやリンクキーを既に持っており、初期接続認証済みであることが分かる。
【００３５】
その場合、ポータブル・ワイヤレスヘッドホンプレーヤ１０およびワイヤレスヘッドホン１１は、Bluetooth通信を行う相手（接続先）を相互に設定する。このとき、既に接続先として登録されている場合は更新しない。このような動作により、接続先が再設定されるため、通常動作が実行できるようになる。
【産業上の利用可能性】
【００３６】
本発明の初期接続認証情報コピーシステムは、情報入力用のデバイスとしてキーボード等のユーザーインターフェイスを搭載することなく、初期接続認証を行うことができるといった効果を有し、複数の無線通信モジュール搭載機器と、該複数の無線通信モジュール搭載機器が同時に有線接続される有線接続機器とを備えたものに適用が可能である。
【図面の簡単な説明】
【００３７】
【図１】本発明の実施の形態に係る初期接続認証情報コピーシステムの構成を概略的に示す図
【図２】本発明の実施の形態に係る初期接続認証情報コピーシステムにおけるポータブル・ワイヤレスヘッドホンプレーヤの構成を概略的に示すブロック図
【図３】本発明の実施の形態に係る初期接続認証情報コピーシステムにおけるワイヤレスヘッドホンの構成を概略的に示すブロック図
【図４】本発明の実施の形態に係る初期接続認証情報コピーシステムにおける充電器の構成を概略的に示すブロック図
【図５】Bluetooth規格による接続認証を説明するためのシーケンス図
【図６】ポータブル・ワイヤレスヘッドホンプレーヤとワイヤレスヘッドホンとが初期接続認証を実行しておらず、リンクキーが存在していない場合の動作を説明するためのシーケンス図
【図７】ポータブル・ワイヤレスヘッドホンプレーヤとワイヤレスヘッドホンとが初期接続認証を実行済みで、それぞれリンクキーが存在している場合の動作を説明するためのシーケンス図
【符号の説明】
【００３８】
１０  ポータブル・ワイヤレスヘッドホンプレーヤ
１１  ワイヤレスヘッドホン
１２  充電器
２０、３０  Bluetooth無線通信モジュール
２１、３１  ＣＰＵ
２２、３２  ＲＯＭ
２３、３３  ＲＡＭ
２４、３４  電源回路
２５、３５  充電器間インターフェイス回路
２６、３６  ユーザーインターフェイス回路
２７  プレーヤ制御回路
２８、３８  ＲＦ部
２９、３９  ベースバンド部
３７  ヘッドホン制御回路
４０、４１  コネクタ
４２、４３  ＤＣ電源出力回路
４４  シリアルポートブリッジ端子
４５  ＡＣ／ＤＣ変換回路
４６  ＡＣプラグ
【図１】
2005094097.tif 000003
【図２】
2005094097.tif 000004
【図３】
2005094097.tif 000005
【図４】
2005094097.tif 000006
【図５】
2005094097.tif 000007
【図６】
2005094097.tif 000008
【図７】
2005094097.tif 000009